(57)【要約】【課題】垂直取付形コネクタを容易に取り外せないコネクタカバーを提供する。【解決手段】コネクタカバー１は、電線２３を延出するコネクタ２１と、プリント基板１ｐに実装されるコネクタ２２とが係合された垂直取付形の角形コネクタ２を覆う。コネクタカバー１は、角形コネクタ２の三側面を覆うカバー本体１１と、角形コネクタ２の一側面を覆うカバー本体１２を備える。カバー本体１１はロックアーム２１ａと一対のフランジ２１ｂ・２１ｃに係合する凹部を有する。カバー本体１２は一側面に陥没する切り欠き２２ｂに係合する凸部を有する。カバー本体１１にラッチ１１２を設け、カバー本体１２にラッチ１１２に係合するランス１２２を設ける。ラッチ１１２とランス１２２とは、係合されると外部から係合解除が困難なはめ殺しに構成される。【選択図】図２
2008277108.tif 000002
【特許請求の範囲】
【請求項１】
第１コネクタは電線を延出し、第２コネクタはプリント基板に実装され、これら第１及び第２コネクタが相互に係合可能な垂直取付形の角形コネクタが係合された状態で当該角形コネクタの外殻を覆う略直方体のコネクタカバーであって、
前記第１コネクタと前記第２コネクタとが係合する方向と直交する方向から挿入して当該角形コネクタの三側面を覆う第１内壁を有する第１カバー本体と、
前記第１カバー本体の一方の片翼と開閉可能に結合して前記角形コネクタの三側面を除く一側面を覆う第２内壁を有する板状の第２カバー本体と、を備え、
前記第１内壁は、前記角形コネクタの三側面から突出する突部に係合する凹部を有し、
前記第２内壁は、前記角形コネクタの一側面に陥没する窪みに係合する凸部を有し、
前記第１カバー本体の他方の片翼には、前記第１内壁に向かって隆起する鋸歯状のラッチを設け、
前記第２カバー本体の他方の片翼には、前記ラッチに向かって突出する槍状のランスを設け、
前記ラッチと前記ランスとは、係合されると外部から係合解除が困難なはめ殺しに構成されているコネクタカバー。
【請求項２】
前記第１カバー本体の一方の片翼は、外部から切断容易なＵ字状のヒンジで前記第２カバー本体の一方の片翼と開閉可能に結合している請求項１記載のコネクタカバー。
【請求項３】
前記第１コネクタの第１外壁は、前記第２コネクタと係合する方向に突出するロックアームと、端部に形成されて相反する向きに突出する一対のフランジと、を有し、
前記第２コネクタの第２外壁は、前記ロックアームが係合されるフック部と、端部に形成される切り欠きと、を有し、
前記凹部は、前記ロックアームに係合する第１凹部と、対向配置されて前記一対のフランジに係合する一対の第２凹部と、を含み、
前記凸部は、前記切り欠きに係合する第１凸部を含んでいる請求項１又は２記載のコネクタカバー。
【請求項４】
前記第１内壁は、一端部が開放されて前記電線が延出される挿通開口を有し、
前記第２内壁は、前記挿通開口の前記一端部を封鎖する第２凸部を有する請求項１から３のいずれかに記載のコネクタカバー。
【請求項５】
柔軟合成樹脂で一体成形される請求項１から４のいずれかに記載のコネクタカバー。
【発明の詳細な説明】
【技術分野】
【０００１】
本発明は、コネクタカバーに関する。特に、係合された一対のコネクタを一体に保持した状態でこれらのコネクタを覆うコネクタカバーの構造に関する。
【背景技術】
【０００２】
結合相手となる部品や装置との接続及び切り離しを目的とした導体を接続するコネクタは、従来から広く電子機器に採用されている。このコネクタとしては、一方のコネクタが電線を延出するソケットコネクタであって、他方のコネクタがプリント基板に実装されるプリント基板用コネクタであって、相互に係合可能な一対のコネクタ、いわゆるＷｔｏＢ（Ｗｉｒｅ  ｔｏ  Ｂｏａｒｄ）コネクタがある。
【０００３】
例えば、この種のコネクタは、パチンコ機やスロットマシンなどの遊技機の動作を制御する主制御基板に使用されているが、一対のコネクタの接続を切り離して、コネクタに備わる接続端子に不正にアクセスする不正行為者が出現している。不正行為者は、露出された接続端子にアクセスして、主制御基板に実装されたＲＯＭの内容を書き換え、又は破損して出玉やメダルを不当に獲得しようと企てる。
【０００４】
このような不正行為を防止するために、一旦接続したコネクタが切り離されないよう、例えば、コネクタを物理的に接着する対策が採用されていた。しかし、前述のコネクタを物理的に接着する対策は、主制御基板を交換するときには、コネクタのみならず主制御基板も破壊しかねないという不具合がある。
【０００５】
こうした不具合に対して、接着剤などの不可逆的な物理的接着法を用いることなく、コネクタを容易に取り外せないコネクタの取り外し防止手段を備えるコネクタカバーが開示されている（例えば、特許文献１参照）。
【０００６】
特許文献１によるコネクタカバーは、プラグとソケットで構成されたコネクタに適用される。プラグは、不正防止用カバーで全体が覆われるプリント基板に接着されている。ソケットは、プラグに適合し配線ケーブルが接続されている。このコネクタは、ソケットがプラグに装着された状態で全体として角形の柱形状の外形を呈している。
【０００７】
特許文献１によるコネクタカバーは、両端部分と中央部分を有している。両端部分は、コネクタの両端部の少なくとも上面、正面、側面、及び背面の一部を覆っている。中央部分は、コネクタの少なくとも正面を覆っている。
【０００８】
又、特許文献１によるコネクタカバーは、第１突起、第２突起、及び第３突起を形成している。第１突起は、プラグの外面に設けられた嵌合孔に嵌合する。第２突起は、ソケットを構成する部材間の隙間に嵌合する。第３突起は、ロックレバーの動きを固定する。
【０００９】
特許文献１によれば、規定のコネクタに適用できる取り外し困難なコネクタカバーを提供できる、としている。これにより、遊技機への不正行為を防止できる、としている。又、特許文献１によるコネクタカバーを透明又は半透明にすることにより、仮に不正行為が行われても、早く発見できる、としている。
【特許文献１】登録実用新案第３１０６９２２号公報
【発明の開示】
【発明が解決しようとする課題】
【００１０】
特許文献１によるコネクタカバーが適用されるコネクタは、ソケットに備わる配線ケーブル（フラットケーブル）がソケットの挿抜方向と略直交する方向に延出している（特許文献１の図１参照）。そして、配線ケーブルの延出部分は、不正防止用カバーの上方を覆っている。
【００１１】
ここで、特許文献１によるコネクタは、プリント基板の表面に対して、一方のコネクタと他方のコネクタの結合方向が垂直になるように取り付けられる、いわゆる垂直取付形コネクタであるが、プリント基板の表面に対して、一方のコネクタと他方のコネクタの結合方向が水平になるように取り付けられる、いわゆる水平取付形コネクタとして機能している。
【００１２】
一般に、水平取付形コネクタは、配線ケーブルなどを含む電線がプリント基板の部品実装面を覆わないように、プリント基板に取り付けるという取り付け位置に制約がある。一方、垂直取付形コネクタは、プリント基板の部品実装面のどの位置でも取り付けられるという設計の自由度がある。したがって、設計の自由度が高い垂直取付形コネクタを容易に取り外せないコネクタカバーが求められる。
【００１３】
又、特許文献１によるコネクタカバーは、コネクタからどのよう様に解除するかについては、何ら開示されてなく示唆すらされていない。結局は、強制的にコネクタカバーを引き抜くか、コネクタカバーを裁断すると推察される。この場合、コネクタを損傷することが懸念される。したがって、コネクタを損傷することなく、コネクタから解除可能なコネクタカバーが求められる。そして、以上のことが本発明の課題といってよい。
【００１４】
本発明は、このような問題に鑑みてなされたものであり、垂直取付形コネクタを容易に取り外せず、かつ、コネクタを損傷することなく解除可能なコネクタカバーを提供することを目的とする。
【課題を解決するための手段】
【００１５】
本発明者は、ヒンジで開閉可能に結合された一対のコネクタカバーが鎖錠可能に垂直取付形コネクタを覆うことにより、これらの課題が解決可能なことを見出し、これに基づいて、以下のような新たなコネクタカバーを発明するに至った。
【００１６】
（１）  第１コネクタは電線を延出し、第２コネクタはプリント基板に実装され、これら第１及び第２コネクタが相互に係合可能な垂直取付形の角形コネクタが係合された状態で当該角形コネクタの外殻を覆う略直方体のコネクタカバーであって、前記第１コネクタと前記第２コネクタとが係合する方向と直交する方向から挿入して当該角形コネクタの三側面を覆う第１内壁を有する第１カバー本体と、前記第１カバー本体の一方の片翼と開閉可能に結合して前記角形コネクタの三側面を除く一側面を覆う第２内壁を有する板状の第２カバー本体と、を備え、前記第１内壁は、前記角形コネクタの三側面から突出する突部に係合する凹部を有し、前記第２内壁は、前記角形コネクタの一側面に陥没する窪みに係合する凸部を有し、前記第１カバー本体の他方の片翼には、前記第１内壁に向かって隆起する鋸歯状のラッチを設け、前記第２カバー本体の他方の片翼には、前記ラッチに向かって突出する槍状のランスを設け、前記ラッチと前記ランスとは、係合されると外部から係合解除が困難なはめ殺しに構成されているコネクタカバー。
【００１７】
（１）の発明によるコネクタカバーは、第１及び第２コネクタが相互に係合可能な垂直取付形の角形コネクタが係合された状態で、角形コネクタの外殻を覆う略直方体のコネクタカバーである。第１コネクタは、電線を延出している。第２コネクタは、プリント基板に実装されている。
【００１８】
そして、（１）の発明によるコネクタカバーは、第１カバー本体と板状の第２カバー本体を備えている。第１カバー本体は、第１内壁を有している。第１内壁は、第１コネクタと第２コネクタとが係合する方向と直交する方向から挿入して、角形コネクタの三側面を覆っている。第２カバー本体は、第１カバー本体の一方の片翼と開閉可能に結合している。第２カバー本体は、第２内壁を有している。第２内壁は、角形コネクタの三側面を除く一側面を覆っている。
【００１９】
第１内壁は、凹部を有している。凹部は、角形コネクタの三側面から突出する突部に係合する。第２内壁は、凸部を有している。凸部は、角形コネクタの一側面に陥没する窪みに係合する。
【００２０】
第１カバー本体の他方の片翼には、鋸歯状のラッチを設けている。ラッチは、第１内壁に向かって隆起している。第２カバー本体の他方の片翼には、槍状のランスを設けている。ランスは、ラッチに向かって突出している。そして、ラッチとランスとは、係合されると外部から係合解除が困難なはめ殺しに構成されている。
【００２１】
ここで、第１コネクタはプラグであってよく、プラグは、絶縁体の第１ハウジングが角形の多極コネクタであってよく、通常、雌コンタクトが挿入されている。雌コンタクトは、電線を圧着する圧着コンタクトであってもよく、電線を圧接する圧接コンタクトであってもよく、プラグは複数の電線の先端に取り付けられている。
【００２２】
第２コネクタはリセプタクルであってよく、リセプタクルは、絶縁体の第２ハウジングが角形の多極コネクタであってよく、通常、雄コンタクトが挿入されている。雄コンタクトは、プリント基板に形成されたスルーホールにはんだ接合されるはんだ付コンタクトであってよく、プリント基板に形成されたスルーホールに圧入されて無はんだ接合されるプレスフィットコンタクトであってよく、リセプタクルはプリント基板に実装されている。
【００２３】
雌コンタクトは、雄コンタクトを受け入れ、その内面で電気的接続をするコンタクトであってよく、エントリが分割されたオープンエントリであってよく、エントリが閉じられたクローズドエントリであってもよい。雄コンタクトは、雌コンタクトの中に入り、その外面で電気的接続をするコンタクトであってよく、ピン、ポスト、タブなどの種類から適宜に選択される。
【００２４】
第１コネクタは、第１ハウジングが外殻を構成してよく、第２コネクタは、第２ハウジングが外殻を構成している。第１ハウジングは、複数の雌コンタクトを囲うフォーウォール形の第１ヘッダを有してよく、第２ハウジングは、複数の雄コンタクトを囲うフォーウォール形の第２ヘッダを有してよく、第１ヘッダが第２ヘッダに挿入されることにより、垂直取付形の角形コネクタが係合された状態で角形コネクタの外殻が構成される。
【００２５】
第１及び第２コネクタが相互に係合可能とは、結合相手との機械的保持のためにハウジングにロック機構を組み込むことを意味している。例えば、ロック機構は、後述するロックアームとフック部で構成してもよい。
【００２６】
一般に、角形コネクタのハウジングは、面積の広い一対の第１及び第２側面と、第１及び第２側面に隣接する面積の狭い一対の第３及び第４側面と、を有している。そして、これら第１から第４側面で囲われた一対の第５及び第６側面にコンタクトが突出し、又は電線が延出している。
【００２７】
第１カバー本体が角形コネクタの三側面を覆うとは、第１カバー本体が、面積の広い第１側面と、第１側面に隣接する面積の狭い一対の第３及び第４側面を覆うことを意味している。そして、第１カバー本体は、第１コネクタと第２コネクタとが係合する方向と直交する方向から挿入される。
【００２８】
第２カバー本体が角形コネクタの三側面を除く一側面を覆うとは、第１カバー本体が、面積の広い第２側面を覆うことを意味している。そして、第２カバー本体を閉じることにより、第２側面を覆うことができる。
【００２９】
角形コネクタの三側面から突出する突部は、後述するロックアームを含んでよく、ロックアームに凹部が係合する。そして、突部に凹部が係合するとは、第１コネクタと第２コネクタとが係合する方向に第１カバー本体が移動困難であることを意味している。
【００３０】
角形コネクタの一側面に陥没する窪みは、後述する切り欠きを含んでよく、切り欠きに凸部が係合する。そして、窪みに凸部が係合するとは、第１コネクタと第２コネクタとが係合する方向に第２カバー本体が移動困難であることを意味している。
【００３１】
そして、（１）の発明によるコネクタカバーは、第１カバー本体の他方の片翼にラッチを設け、第２カバー本体の他方の片翼にランスを設け、ラッチとランスとは、係合されると外部から係合解除が困難な「はめ殺し」に構成されているので、係合された一対の垂直取付形コネクタを容易に取り外すことができないという効果がある。
【００３２】
（２）  前記第１カバー本体の一方の片翼は、外部から切断容易なＵ字状のヒンジで前記第２カバー本体の一方の片翼と開閉可能に結合している（１）記載のコネクタカバー。
【００３３】
（２）の発明によるコネクタカバーは、後述するように、第１及び第２カバー本体とヒンジが、柔軟合成樹脂で一体成形されることが好ましく、第１カバー本体に第２カバー本体が閉じられているときは、ヒンジがＵ字状に外部に突出している。このようなヒンジは、所定の切断具を用いて外部から切断が容易であり、コネクタを容易に損傷しない。そして、コネクタカバーをコネクタから解除できる。
【００３４】
（２）の発明によるコネクタカバーは、コネクタを損傷することなく、コネクタから解除可能なコネクタカバーを提供できる。又、（２）の発明によるコネクタカバーは、ヒンジが切断された痕跡などから不正行為が行われたことを推察できる。
【００３５】
（３）  前記第１コネクタの第１外壁は、前記第２コネクタと係合する方向に突出するロックアームと、端部に形成されて相反する向きに突出する一対のフランジと、を有し、前記第２コネクタの第２外壁は、前記ロックアームが係合されるフック部と、端部に形成される切り欠きと、を有し、前記凹部は、前記ロックアームに係合する第１凹部と、対向配置されて前記一対のフランジに係合する一対の第２凹部と、を含み、前記凸部は、前記切り欠きに係合する第１凸部を含んでいる（１）又は（２）記載のコネクタカバー。
【００３６】
（３）の発明によるコネクタカバーは、第１コネクタの第１外壁がロックアームと一対のフランジを有している。ロックアームは、第２コネクタと係合する方向に突出している。一対のフランジは、第１外壁の端部に形成されており、相反する向きに突出している。第２コネクタの第２外壁は、フック部と切り欠きを有している。フック部はロックアームが係合される。切り欠きは、第２外壁の端部に形成されている。
【００３７】
そして、（３）の発明によるコネクタカバーは、第１内壁に設けられた凹部が第１凹部と一対の第２凹部を含んでいる。第１凹部は、ロックアームに係合する。一対の第２凹部は、対向配置されており、一対のフランジに係合する。凸部は、切り欠きに係合する第１凸部を含んでいる。
【００３８】
ここで、ロックアームは、第１コネクタの第１外壁に設けられてよく、支点部を第１外壁（第１側面）に突出形成された支持部によって弾性をもって揺動変位可能に支持されてよい。ロックアームの前方部は、第２コネクタに向かって突出してよく、鋸刃状の係止部を有している。一方、ロックアームの後方部は、力点部となる指押さえ部を形成している。
【００３９】
指押さえ部を閉じると、前方部が開きロックを解除できる。このようなロックアームは、第１及び第２コネクタが係合した状態では、外部に突出している。一対のフランジを把持して、第１コネクタを第２コネクタから容易に引き抜くことができる。このような一対のフランジは、相反する向きに突出している。切り欠きは、矩形に端部から切り欠かれてよく、第１及び第２コネクタが係合した状態では、切り欠きが角形コネクタの一側面に陥没する窪みとなっている。
【００４０】
（３）の発明によるコネクタカバーは、第１コネクタに設けられたロックアームと一対のフランジ、及び第２コネクタに設けられた切り欠きを利用して、係合された一対の垂直取付形コネクタを容易に取り外すことができないという効果がある。
【００４１】
（４）  前記第１内壁は、一端部が開放されて前記電線が延出される挿通開口を有し、前記第２内壁は、前記挿通開口の前記一端部を封鎖する第２凸部を有する（１）から（３）のいずれかに記載のコネクタカバー。
【００４２】
（４）の発明によるコネクタカバーは、電線を延出した状態で容易に装着できるという効果がある。
【００４３】
（５）  柔軟合成樹脂で一体成形される（１）から（４）のいずれかに記載のコネクタカバー。
【００４４】
（５）の発明によるコネクタカバーは、複雑な形状のコネクタカバーを大量生産できるというメリットがある。
【発明の効果】
【００４５】
本発明によるコネクタカバーは、第１カバー本体の他方の片翼にラッチを設け、第２カバー本体の他方の片翼にランスを設け、ラッチとランスとは、係合されると外部から係合解除が困難なはめ殺しに構成されているので、係合された一対の垂直取付形コネクタを容易に取り外すことができないという効果がある。
【００４６】
又、第１カバー本体の一方の片翼は、外部から切断容易なＵ字状のヒンジで第２カバー本体の一方の片翼と開閉可能に結合しているので、本発明によるコネクタカバーは、ヒンジが所定の切断具を用いて外部から切断が容易であり、コネクタを容易に損傷しない。そして、コネクタカバーをコネクタから解除できる。
【発明を実施するための最良の形態】
【００４７】
以下、図面を参照して本発明を実施するための最良の形態を説明する。
【００４８】
図１は、本発明によるコネクタカバーの一実施形態を示す斜視外観図であり、第２カバー本体を開いた状態図である。図２は、前記実施形態によるコネクタカバーの斜視外観図であり、コネクタカバーをコネクタに取り付ける前の状態図である。図３は、前記実施形態によるコネクタカバーの斜視外観図であり、図２と異なる方向からコネクタカバーを観ている。図４は、前記実施形態によるコネクタカバーの斜視外観図であり、図３と反対方向からコネクタカバーを観ている。
【００４９】
図５は、前記実施形態によるコネクタカバーの平面図であり、第２カバー本体を閉じた状態図である。図６は、前記実施形態によるコネクタカバーの縦断面図であり、図５のＡ−Ａ矢視断面図である。図７は、前記実施形態によるコネクタカバーの縦断面図であり、図５のＢ−Ｂ矢視断面図である。図８は、前記実施形態によるコネクタカバーの平面図であり、第２カバー本体を開いた状態図である。
【００５０】
最初に、本発明によるコネクタカバーの構成を説明する。図１において、略直方体のコネクタカバー１は、垂直取付形の角形コネクタ２の外殻を覆っている。角形コネクタ２は、コネクタ２１とコネクタ２２が相互に係合している。コネクタ２１は、電線２１ｗを延出している。コネクタ２２は、プリント基板１ｐに実装されている。
【００５１】
図２において、コネクタカバー１は、直方体状のカバー本体１１と板状のカバー本体１２を備えている。カバー本体１１の片翼は、カバー本体１２の片翼とＵ字状のヒンジ１３で開閉可能に結合している（図５参照）。カバー本体１１は、コネクタ２１とコネクタ２２とが係合する方向と直交する方向から挿入して、角形コネクタ２の三側面２ａ・２ｃ・２ｄを覆う内壁１１１を有している（図４参照）。カバー本体１２は、角形コネクタ２の三側面２ａ・２ｃ・２ｄを除く一側面２ｂを覆う内壁１２１を有している。
【００５２】
図２又は図３において、カバー本体１１の内壁１１１は、凹部（例えば、凹部１１ａ）を有し、角形コネクタ２の三側面２ａ・２ｃ・２ｄから突出する突部（例えば、ロックアーム２１ａ）に係合できる（図４参照）。カバー本体１２の内壁１２１は、凸部１２ａを有し、角形コネクタの側面２ｂに陥没する窪み（例えば、切り欠き２２ｂ）に係合できる。
【００５３】
図２において、カバー本体１１は、鋸歯状の一対のラッチ１１２・１１２を設けている。ラッチ１１２は、内壁１１１に向かって隆起している。カバー本体１２は、槍状の一対のランス１２２・１２２を設けている。ランス１２２とラッチ１１２とは、係合されると外部から係合解除が困難な「はめ殺し」に構成されている。
【００５４】
図１から図４において、コネクタ２１は、プラグを示している。このプラグは、複数の雌コンタクト２１ｐが角形の多極コネクタを形成する絶縁体のハウジング２１ｈに挿入されている。雌コンタクト２１ｐは、電線２１ｗを圧着する圧着コンタクトであり、複数の電線２１ｗを延出している（図７参照）。
【００５５】
一方、図１から図４において、コネクタ２２は、リセプタクルを示している。このリセプタクルは、複数の雄コンタクト２２ｐが角形の多極コネクタを形成する絶縁体のハウジング２２ｈに挿入されている。雄コンタクト２２ｐは、プリント基板１ｐに形成されたスルーホール１ｈにはんだ接合されるはんだ付コンタクトであり、プリント基板１ｐに実装されている（図７参照）。
【００５６】
図４に示されるように、コネクタ２１は、ロックアーム２１ａと一対のフランジ２１ｂ・２１ｃを外壁２１０に形成している。ロックアーム２１ａは、コネクタ２２と係合する方向に突出している。一対のフランジ２１ｂ・２１ｃは、外壁２１０の端部に形成されており、相反する向きに突出している。一方、コネクタ２２は、フック部２２ａと切り欠き２２ｂを外壁２２０に形成している。ロックアーム２１ａは、フック部２２ａと係合できる（図６参照）。切り欠き２２ｂは、外壁２２０の端部に形成されている（図２参照）。
【００５７】
図３において、カバー本体１１は、凹部１１ａ及び一対の凹部１１ｂ・１１ｃを内壁１１１に有している。凹部１１ａは、ロックアーム２１ａに係合できる。一対の凹部１１ｂ・１１ｃは、対向配置されており、一対のフランジ２１ｂ・２１ｃに係合できる（図７参照）。一方、カバー本体１２には、切り欠き２２ｂに係合する凸部１２ａを内壁１２１に有している。
【００５８】
図２又は図８において、カバー本体１１は、端部が開放されて電線２１ｗが延出される挿通開口１１ｄを形成している。一方、カバー本体１２には、挿通開口１１ｄの端部を封鎖する凸部１２ｂを形成している。
【００５９】
図６において、コネクタ２１は、側面２ａにロックアーム２１ａを設けている。ロックアーム２１ａは、支点部ａ１が側面２ａに突出形成された支持部ａ２によって弾性をもって揺動変位可能に支持されている。ロックアーム２１ａの前方部ａ３は、コネクタ２２に向かって突出しており、鋸刃状の係止部ａ４を有している。一方、ロックアーム２１ａの後方部ａ５は、力点部となる指押さえ部ａ６を形成している。
【００６０】
図６において、指押さえ部ａ６を閉じると、前方部ａ３が開きロックを解除できる。このようなロックアーム２１ａは、コネクタ２１・２２が係合した状態では、外部に突出している。又、一対のフランジ２１ｂ・２１ｃを把持して、コネクタ２１をコネクタ２２から容易に引き抜くことができる。切り欠き２２ｂは、端部から矩形に切り欠かれており、コネクタ２１・２２が係合した状態では、切り欠き２２ｂが角形コネクタ２の側面２ｂに陥没している（図３参照）。
【００６１】
次に、本発明によるコネクタカバーの構成を捕捉しつつ作用を説明する。
【００６２】
図７において、コネクタ２１は、ハウジング２１ｈが外殻を構成している。コネクタ２２は、ハウジング２２ｈが外殻を構成している。ハウジング２１ｈは、複数の雌コンタクト２１ｐを囲うフォーウォール形のヘッダ２１ｄを有している。ハウジング２２ｈは、複数の雄コンタクト２２ｐを囲うフォーウォール形のヘッダ２２ｃを有している。ヘッダ２１ｄがヘッダ２２ｃに挿入されて係合した状態で、垂直取付形の角形コネクタ２を形成している（図３参照）。
【００６３】
図６又は図７において、係合されたハウジング２１ｈ・２２ｈは、面積の広い一対の側面２ａ・２ｂと、側面２ａ・２ｂに隣接する面積の狭い一対の側面２ｃ・２ｄを有している。そして、これら側面２ａ〜２ｄで囲われた底面２ｆに雄コンタクト２２ｐが突出し、開口２ｅから電線２１ｗが延出している。
【００６４】
図１において、カバー本体１１は、コネクタ２１とコネクタ２２とが係合する方向と直交する方向から挿入する。図１では、カバー本体１１が角形コネクタ２の三側面２ａ・２ｃ・２ｄを覆っている。そして、カバー本体１２を閉じることにより、角形コネクタ２の側面２ｂを覆うことができる。
【００６５】
図５において、カバー本体１１の凹部１１ａは、角形コネクタ２の側面２ａから突出するロックアーム２１ａと係合している（図６参照）。又、カバー本体１１の一対の凹部１１ｂ・１１ｃは、角形コネクタ２の側面２ｃ・２ｄから突出する一対のフランジ２１ｂ・２１ｃと係合している（図７参照）。このようにして、カバー本体１１は、コネクタ２１とコネクタ２２とが係合する方向に移動が困難となる。
【００６６】
カバー本体１２を閉じると、切り欠き２２ｂに凸部１２ａが係合して、カバー本体１２は、コネクタ２１とコネクタ２２とが係合する方向に移動が困難となる。
【００６７】
図５に示された状態では、ラッチ１１２とランス１２２が「はめ殺し」で係合されて、カバー本体１１とカバー本体１２との外部からの係合解除が困難となっている。又、ヒンジ１３がＵ字状に外部に突出している。
【００６８】
このように、本発明によるコネクタカバー１は、コネクタ２１に設けられたロックアーム２１ａと一対のフランジ２１ｂ・２１ｃ、及びコネクタ２２に設けられた切り欠き２２ｂを利用して、角形コネクタ２から容易に取り外すことができない。又、ラッチ１１２とランス１２２とは、係合されると外部から係合解除が困難な「はめ殺し」に構成されているので、コネクタカバー１を容易に開くことができないという効果がある。
【００６９】
又、発明によるコネクタカバー１は、カバー本体１１・１２とヒンジ１３が柔軟合成樹脂で一体成形されており、カバー本体１１にカバー本体１２が閉じられているときは、ヒンジ１３がＵ字状に外部に突出している。
【００７０】
このようなヒンジ１３は、所定の切断具を用いて外部から切断が容易であり、角形コネクタ２を容易に損傷しないという効果がある。そして、コネクタカバー１を角形コネクタ２から解除できる。
【００７１】
本発明によるコネクタカバーは、コネクタを損傷することなく、コネクタから解除可能なコネクタカバーを提供できる。又、本発明によるコネクタカバーは、ヒンジが切断された痕跡などから不正行為が行われたことを推察できる。
【図面の簡単な説明】
【００７２】
【図１】本発明によるコネクタカバーの一実施形態を示す斜視外観図であり、第２カバー本体を開いた状態図である。
【図２】前記実施形態によるコネクタカバーの斜視外観図であり、コネクタカバーをコネクタに取り付ける前の状態図である。
【図３】前記実施形態によるコネクタカバーの斜視外観図であり、図２と異なる方向からコネクタカバーを観ている。
【図４】前記実施形態によるコネクタカバーの斜視外観図であり、図３と反対方向からコネクタカバーを観ている。
【図５】前記実施形態によるコネクタカバーの平面図であり、第２カバー本体を閉じた状態図である。
【図６】前記実施形態によるコネクタカバーの縦断面図であり、図５のＡ−Ａ矢視断面図である。
【図７】前記実施形態によるコネクタカバーの縦断面図であり、図５のＢ−Ｂ矢視断面図である。
【図８】前記実施形態によるコネクタカバーの平面図であり、第２カバー本体を開いた状態図である。
【符号の説明】
【００７３】
１  コネクタカバー
１ｐ  プリント基板
２  角形コネクタ
１１  第１カバー本体
１１ａ・１１ｂ・１１ｃ  凹部
１２  第２カバー本体
１２ａ  凸部
１３  ヒンジ
２１  第１コネクタ
２１ｗ  電線
２２  第２コネクタ
１１１  第１内壁
１１２  ラッチ
１２１  第２内壁
１２２  ランス
【図１】
2008277108.tif 000003
【図２】
2008277108.tif 000004
【図３】
2008277108.tif 000005
【図４】
2008277108.tif 000006
【図５】
2008277108.tif 000007
【図６】
2008277108.tif 000008
【図７】
2008277108.tif 000009
【図８】
2008277108.tif 000010